【事件の表示】
　平成　５年特許願第３３３３０８号「開封部付圧縮物品用包装袋」拒絶査定に対する審判事件［平成　７年　７月２５日出願公開、特開平　７−１８７１９７］について、次のとおり審決する。
【結　論】
　本件審判の請求は、成り立たない。
【理　由】
 １．手続きの経緯及び本件の請求項１に係る発明
 　本件出願は、平成５年１２月２７日の特許出願であって、その請求項１に係る発明は、平成１２年７月２４日付け及び平成１２年１１月１６日付けの各手続補正書により補正された明細書の記載からみて、特許請求の範囲の請求項１に記載された「開封部付圧縮物品用包装袋」であって、本件発明は次のとおりのもの（以下、「本件発明」という。）と認められる。
「【請求項１】　複数個の圧縮物品をその圧縮方向に整列した状態で収容し、該圧縮物品の圧縮面に配した一対の側面ガセットパネル部、前面パネル部及び背面パネル部で該圧縮物品の四方を囲い、且つ吊手部を有する上面パネル部と底面パネル部とで上下面を閉鎖して形成した略直方体の圧縮物品用包装袋において、
　上記吊手部は、一対の上記側面ガセットパネル部間に亘って、上記上面パネル部の中央から上記前面パネル及び上記背面パネルに沿って突き出した帯状物で、該上面パネル部と一体的に形成されており、
　上記前面パネル部から上記上面パネル部を通って上記背面パネル部に至り、且つ該上面パネル部において上記吊手部に形成される吊手用開口を避けて上記吊手部を横断するミシン目又は切れ目が連続的に形成してあり、
　上記ミシン目又は切れ目は、上記上面パネル部及び上記吊手部において上記側面ガセットパネル部とほぼ平行に形成され、該ミシン目又は切れ目と該吊手部の一縁端との間で該吊手部を把持し得るように形成されており、且つ上記前面パネル部及び上記背面パネル部の下部には形成されていないことを特徴とする開封部付圧縮物品用包装袋。  」
　　
２．引用刊行物に記載された発明
　これに対して、原査定の拒絶理由に引用された刊行物である実願平１−１１１９０４号（実開平３−５３４４６号）のマイクロフィルム（以下、「引用例」という。）には、手提げ包装袋について次のように記載されている。
記載事項１−1；
「　袋体の上縁部を、上下に一定の間隔をおいて２本の平行な融着線により横方向に融着し、かつ前記融着線間に手提げ用の打ち抜き孔または切り込みを有する手提げ包装袋において、前記上縁部中央から縦方向に前記２本の融着線と交差するミシン目と、袋体の片側部に近接した平行な任意の長さのミシン目と、融着線と交差する前記ミシン目の最下端と袋体の片側部に近接した平行な任意の長さの前記ミシン目の最上端とをつなぐミシン目とを設け、袋体の上縁部から前記ミシン目が沿う片側部の幅方向の領域を開封可能に設けたことを特徴とする手提げ包装袋。」（実用新案登録請求の範囲）
記載事項１−2；
「〔従来の技術〕　従来、トイレットペーパー、ペーパータオルなどのロール状物や紙おむつなどの商品にあっては、これらの商品を吊り提げて持ち運びが行えるように手提げ部分を備えた包装袋に収納した状態で販売」（第２頁１行〜６行）  
記載事項１−3；
「　そこで本考案は、開封時の不便さや開封後の衛生面の問題を生じさせることなく、被包装物が容易に取り出せるようにすることを課題とし、開封が容易で再封性もよく被包装物が容易に取り出せる手提げ包装物を開発することを目的とする。」（第３頁１行〜５行）
記載事項１−4；
「　手提げ包装袋１はガゼット折りされた袋体で、第１図に示すように、上縁部２が、上下に一定の間隔をおいて平行に設けられた２本の融着線３で横方向に融着されている。」（第４頁１５行〜１８行）
　原査定時に示された周知例１の特開平２−１０９８５８号公報には、圧縮された可撓性物品（紙オムツ）が充填された可撓性袋の（吊手部を横断する方向にミシン目を設けて切り裂く）開口装置に関して、次の記載がある。
記載事項２−1；
「１．圧縮された物品（２）を詰込んだ後はほゞ正方形（１，１０１，２０１，３０１）をなし、前記正方形が前記パネル（４ａおよび４ｂ，１０４ａおよび１０４ｂ，２０４ａおよび２０４ｂ，３０４ｂおよび３０４ｂ）、側方パネル（８ａおよび８ｂ，１０８ａ，および１０８ｂ，２０８ａおよび２０８ｂ，３０８ａおよび３０８ｂ）、底部パネネル（１３，１１３，２１３，３１３）、頂部パネル（５，１０５，２０５，３０５）および支持ハンドル（６，１０６，２０６，３０６）とよりなる開口装置において、前記開口装置は包装された可撓性物品（２）の庄縮方向に垂直なパネル（８ａ，１０８ａ，２０８ａ，３０８ａ）上に設けられたことを特徴とする圧縮された可撓性物品が充填される可撓性袋の開口装置。
　２．前記側方パネル８ａ．１０８ａ，２０８ａ，３０８ａ）には、前記開口装置（１１，１１１，２１１，３１１）を形成するようにミシン目（９，１０９，２０９，３０９）が設けられていることを特徴とする、請求項１記載の圧縮された可撓性物品が充填される可撓性袋の開口装置。
　３．前記頂部パネル（５）は、頂部パネル（５）の平面上にいくぶん立上がる接合部（７）によって囲まれ、前記ミシン目（９）は側方パネルに設けられ接合部（７）の隣接部分を通って延び、それによりつまみ部分（１０）を形成することを特徴とする、請求項１または２記載の圧縮された可撓性物品が充填される可撓性袋の開口装置。」（特許請求の範囲）
記載事項２−2；
「　僅かに傾斜した形状の開口装置がとくに有利であり、上の幅は充鎮された袋の側方パネル幅の４０％と８５％の範国内にあり、また下の幅は充鎮された袋の側方パネルの全幅の５０％と９０％の範囲内にある。しかしながら傾斜した形状は、装置の円滑な作用のため必ずしも必要ではない。　袋が未使用物品に対するその保護作用をできるだけ維持するため、開口装置の区域を画定するミシン目を充鎮された袋の側方パネルの高さの約７５％よりさらに下に延ばさないことが好ましい。容易に物品に到達するため、開口装置の最少高さは５％が好ましい。」（第４頁上右欄１４行〜同下左欄５行）
　また、同じく周知例２の特開平３−９８８４８号公報には、可撓性物品（紙オムツ）が充填された（吊手部を横断する方向にミシン目を設けて切り裂くタイプの）簡易開放型の可撓性箱に関して、次の記載がある。
記載事項３−1；
「　１．厚さ方向に対して実質的に平行方向に堆積状に配置された製品を収容するための実質的に長方形の簡易開放型可撓性箱において、
　（ａ）一対の側面パネルによって相互に連結された正面パネルおよび背面パネルと、外周にそって前記の正面パネルおよび背面パネルに固着された底パネルと、閉鎖された上端部とを有する可撓性箱であって、前記の上端部は前記正面パネルと背面パネルの垂直部分の間に少なくとも１つの水平固着区域によって固着された一対の内側に折り畳まれた側面ガセットパネルを含む可撓性箱と、
　（ｂ）前記可撓性箱の中に収容された製品堆積であって、前記製品はその実質的に平坦な面が前記可撓性の側面パネルに対して実質的に平行となるようにまた前記堆積巾の各製品の外周縁が可撓性箱の正面パネルおよび背面パネルに対して実質的に平行となるように配向される、製品堆積と、
　（ｃ）前記可撓性箱の前記側面パネルの１つの中に部分的に配置されまた前記の相互に対向する内側に折り畳まれた側面ガセットの最内側端部の近くから前記可撓性箱の前記閉鎖上端まで延在する実質的に連続的な弱化線から成る簡易開放型装置であって、前記弱化線に沿って引っ張り力を加える事により前記可撓性箱の隅部を他の部分から少なくとも部分的に分離する事によって前記簡易開放型可撓性箱を容易に開放する事ができ、前記可撓性箱の隔部の分離に際して前記ガセットパネルの対応部分が前記可撓性箱の閉じた上端から除去されるようにいした簡易開放型装置とを含む簡易開放型可撓性箱。」（特許請求の範囲）
３−2；
「この可撓性箱は重合体フィルム、紙および不織布またはこれ等の材料の組合せから成るラミネートなど、比較的安い材料で製造する事ができ、」（第４頁下右欄７行〜１０行）
　
３．対比・判断
　そこで、本件発明と引用例に記載された発明（以下、「引用発明」という。）とを対比する。
　引用発明における「ガゼット折りされた袋体」、「ミシン目」、「上縁部」、「（用語としては明記されてはいないが）包装袋の底部相当部」は、それぞれ本件発明における「一対のガセットパネル部、前面パネル部、及び背面パネル部からなるガセット折側面パネル部」、「ミシン目又は切れ目」、「吊手部」、「底面パネル部」と対応し、両者は共に複数個の紙おむつ等の物品をその袋体内に整列した状態で収容し、側面パネル部で収納された物品の四方を囲い、吊り手部を有する上面パネル部と底面パネル部とで上下面を閉鎖して形成した略直方体の開封部付圧縮物品用の包装袋に関するものであって、
　引用例における、袋体の側面部に亘って手提げ包装袋１と一体的に形成された袋体の上面部中央から突き出た帯状の上縁部２の構成は、本件の一対の上記側面ガセットパネル部間に亘って、上記上面パネル部の中央から上記前面パネル及び上記背面パネルに沿って突き出した帯状物で、該上面パネル部と一体的に形成されている吊手部の構成に対応する。
　また、引例例にも本件発明の前面パネル部、上面パネル部、及び、背面パネル部に相当する袋体のパネル部が記載されており、物品取り出し用の切り裂きミシン目が前面パネル部から上面パネル部を通って背面パネル部に至るように形成されており、引用例の記載「上縁部中央から縦方向に前記２本の融着線と交差するミシン目」及び図から見ると、引用例の上縁部（本件の吊手部に相当）のミシン目も上面パネル部において該吊手部に形成される吊手用開口を避けて該吊手部を横断するミシン目又は切れ目が連続的に形成している構成を有するものと認められるから、本件発明の用語を用いて表現すると、両者は
「　複数個の収納物品をその袋体内に整列した状態で収容し、該収納物品の収納面に配した一対の側面ガセットパネル部、前面パネル部及び背面パネル部で該収納物品の四方を囲い、且つ吊手部を有する上面パネル部と底面パネル部とで上下面を閉鎖して形成した略直方体の収納物品用包装袋において、　上記吊手部は、一対の上記側面ガセットパネル部間に亘って、上記上面パネル部の中央から上記前面パネル及び上記背面パネルに沿って突き出した帯状物で、該上面パネル部と一体的に形成されており、上記前面パネル部から上記上面パネル部を通って上記背面パネル部に至り、且つ該上面パネル部において上記吊手部に形成される吊手用開口を避けて上記吊手部を横断するミシン目又は切れ目が連続的に形成しているという構成を有することを特徴とする開封部付収納物品用包装袋。」で一致し、次の（ア）および（イ）の点で相違する。
（ア）本件発明が、収納物品を圧縮物品と限定し、その圧縮物品をその圧縮方向に整列した状態で収容しているのに対して、引用発明は収納物品をそのような圧縮物品と限定しておらず、圧縮物品の整列の状態についても限定していない点。
（イ）本件発明では、上記ミシン目又は切れ目は、上記上面パネル部及び上記吊手部において上記側面ガセットパネル部とほぼ平行に形成され、該ミシン目又は切れ目と該吊手部の一縁端との間で該吊手部を把持し得るように形成されており、且つ上記前面パネル部及び上記背面パネル部の下部には形成されていないという構成を有するのに対して、引用発明ではミシン目又は切れ目をそのように限定した構成で形成するとしていない点。
　相違点について検討する。        
　相違点（ア）について検討すると、引用発明には被包装物の例として紙おむつが明記されており、圧縮物品としての紙オムツを圧縮方向に整列させ収納・充填してなる可撓性袋は本件発明の出願前に当業者において周知の事項である（必要とあらば、周知例１：特開平２−１０９８５８号公報、及び周知例２：特開平３−９８８４８号公報参照）から、相違点の（ア）の構成とする点に格別のことはない。
　相違点（イ）について検討すると、被包装物を取り出しやすくするために袋体の片側部に平行なミシン目を設けて開口とすることは引用発明にも記載されているように当業者において良く知られていることであって、このミシン目を側面ガゼット部に設けるにあたり上面パネル部から適宜長の深さまで設けるようにして開口部を提供するように工夫することは、収納物の大きさや圧縮度合いの圧力等を考慮して当業者が必要に応じて適宜の大きさや長さにすることが考察できる範囲の事項であって、そのミシン目形成の形状や設定位置の選択は当業者が適宜になし得る設計的な事項である。加えて、おしめパンツのような衛生物品である圧縮性品を包装するためのバッグにおいて、ミシン目は上面パネル部及び吊手部において、側面ガセット部とほぼ平行に形成され、ミシン目と吊手部の一縁端との間で吊手部を把持し得るように形成して被包装物の取り出しを容易にするために、ミシン目が側面ガセット部とほぼ平行に形成され、前面パネル部及び背面パネル部の下部には形成されていない構成を有する略直方体のフレキシブルな包装袋は、本件発明の出願前に当業者において周知（必要とあらば、国際公開日1992.10.29、ＷＯ９２／１８３９６号刊行物を参照）である。
　そして、上記の周知事項を本件発明に適用することに格別の阻害要因があるとも言えないから、（イ）の構成を想到することは、周知事項を参照にして当業者が必要に応じて適宜なし得る設計的事項にすぎない。
　　
４．むすび
　以上のとおりであるから、本件発明は、引用発明及び出願前周知の事項に基づいて当業者が容易に発明をすることができたものと認められ、特許法第２９条第２項の規定により特許を受けることができない。
　よって、結論のとおり審決する。